(57)【要約】【課題】一定の揮散効果が長く続くように使用することができ、また揮散効果を急速に発揮させることも可能な、新たな揮散容器を提案する。【解決手段】本発明の揮散容器は、可撓性を有し内容物として揮散剤を収容する内部空間Ｎを有する容器１と、容器１の口部２ｄに装着され、内部空間Ｎの揮散剤を吸い上げる吸い上げ芯４を保持するホルダー５と、吸い上げ芯４に接触する揮散部材８を保持して容器１に装着される蓋体９とを備え、ホルダー５は、吸い上げ芯４を取り囲む環状壁５ｃを有するとともに、吸い上げ芯４と環状壁５ｃとの間に設けられ入口が内部空間Ｎに通じる一方、出口が吸い上げ芯４又は揮散部材８に通じる空気通路Ｋ１を有する。【選択図】図１
2018104060.tif 000002
【特許請求の範囲】
【請求項１】
可撓性を有し内容物として揮散剤を収容する内部空間を有する容器と、該容器の口部に装着され、該内部空間の揮散剤を吸い上げる吸い上げ芯を保持するホルダーと、該吸い上げ芯に接触する揮散部材を保持して該容器に装着される蓋体とを備える揮散容器であって、
前記ホルダーは、前記吸い上げ芯を取り囲む環状壁を有するとともに、該吸い上げ芯と該環状壁との間に設けられ入口が前記内部空間に通じる一方、出口が該吸い上げ芯又は前記揮散部材に通じる空気通路を有する揮散容器。
【請求項２】
前記ホルダーは、前記内部空間と外界とを連通する開口を有するものであって、
更に、前記内部空間の加圧時においては前記開口を閉鎖して該内部空間から外界への空気の流れを遮断する一方、該内部空間の減圧時においては該開口を解放して外界から該内部空間への空気の流れを許容する逆止弁を有する請求項１に記載の揮散容器。
【請求項３】
前記容器及び前記蓋体の少なくとも一方は、前記揮散部材を経由せずに前記開口と外界との間を連通させる連通口を有する請求項２に記載の揮散容器。
【請求項４】
前記揮散部材は、前記吸い上げ芯とともに前記環状壁を収容する凹所を有する請求項２又は３に記載の揮散容器。
【発明の詳細な説明】
【技術分野】
【０００１】
本発明は、消臭剤や芳香剤等の内容物を揮散させることが可能な揮散容器に関するものである。
【背景技術】
【０００２】
芳香剤や消臭剤等の内容物を揮散させる容器として、例えば特許文献１には、容器本体の口部に保持されて内容物を吸い上げる吸い上げ芯と、吸い上げ芯の上部においてこの吸い上げ芯の先端に接触した状態で保持されるブロック状の揮散部材とを備える揮散容器が示されている。このような容器によれば、吸い上げ芯によって吸い上がった内容物が揮散部材に浸透するため、揮散部材の広い表面積でもって高い揮散効果を得ることが可能である。
【先行技術文献】
【特許文献】
【０００３】
【特許文献１】特開２００７−２７６８３１号公報
【発明の概要】
【発明が解決しようとする課題】
【０００４】
ところでこの種の揮散容器は、部屋の中に常時載置してほぼ一定の揮散効果が長く続くことを想定して構成されており、急速に揮散させる機能を備えるものではない。また一部の揮散容器では、例えば蓋体に設けた窓穴の開口面積を可変できるように構成して、揮散効果を変えることができるようにしているものの、このような揮散容器であっても内容物の揮散量を急速に変えることはできなかった。
【０００５】
本発明はこのような点を改良することを課題とし、従来のように一定の揮散効果が長く続くように使用できるとともに、揮散効果を急速に発揮させることも可能な、新たな揮散容器を提供することを目的とする。
【課題を解決するための手段】
【０００６】
本発明は、可撓性を有し内容物として揮散剤を収容する内部空間を有する容器と、該容器の口部に装着され、該内部空間の揮散剤を吸い上げる吸い上げ芯を保持するホルダーと、該吸い上げ芯に接触する揮散部材を保持して該容器に装着される蓋体とを備える揮散容器であって、
前記ホルダーは、前記吸い上げ芯を取り囲む環状壁を有するとともに、該吸い上げ芯と該環状壁との間に設けられ入口が前記内部空間に通じる一方、出口が該吸い上げ芯又は前記揮散部材に通じる空気通路を有する揮散容器である。
【０００７】
前記ホルダーは、前記内部空間と外界とを連通する開口を有するものであって、
更に、前記内部空間の加圧時においては前記開口を閉鎖して該内部空間から外界への空気の流れを遮断する一方、該内部空間の減圧時においては該開口を解放して外界から該内部空間への空気の流れを許容する逆止弁を有することが好ましい。
【０００８】
前記容器及び前記蓋体の少なくとも一方は、前記揮散部材を経由せずに前記開口と外界との間を連通させる連通口を有することが好ましい。
【０００９】
前記揮散部材は、前記吸い上げ芯とともに前記環状壁を収容する凹所を有することが好ましい。
【発明の効果】
【００１０】
本発明の揮散容器は、吸い上げ芯とこの吸い上げ芯に接触する揮散部材を備えていて、吸い上げ芯を保持するホルダーには、吸い上げ芯と吸い上げ芯を取り囲む環状壁との間において、入口が容器の内部空間に通じる一方、出口が吸い上げ芯又は揮散部材に通じる空気通路を設けている。これにより、容器を押圧して内部空間を加圧すれば、内部空間の空気は内部通路を通って吸い上げ芯又は揮散部材に至り、吸い上がった揮散剤と混ざり合って揮散剤を発泡させることができるため、外界へ急速に揮散させることができる。また、本発明の揮散容器は揮散部材を吸い上げ芯に接触させているので、従来のものと同様に一定の揮散効果が長く続くように使用することもできる。
【００１１】
ホルダーに、内部空間と外界とを連通する開口を設け、また、内部空間の加圧時においては開口を閉鎖して内部空間から外界への空気の流れを遮断する一方、内部空間の減圧時においては開口を解放して外界から内部空間への空気の流れを許容する逆止弁を設ける場合は、容器を押圧する際は逆止弁によって開口が閉鎖されているため、空気通路を通して内部空間の空気を押し出して揮散剤を発泡させることができる。また、容器が復元して内部空間が減圧状態になると、揮散剤を発泡させるための空気通路とは別異になる開口が解放されるため、発泡した揮散剤を極力残したまま外気を内部空間に導入することができる。
【００１２】
また、容器及び蓋体の少なくとも一方に、揮散部材を経由せずに開口と外界との間を連通させる連通口を設ける場合は、内部空間に外気を導入するにあたって、揮散部材に浸透した揮散剤が外気とともに戻されてしまう現象が起きにくくなるため、急速に発揮させたい揮散効果を維持することができる。
【００１３】
揮散部材に吸い上げ芯とともに環状壁を収容する凹所を設ける場合は、吸い上げ芯と環状壁との間に形成される空気通路は揮散部材に取り囲まれることになるため、内部空間の減圧時に外気が内部空間へ導入されるにあたって、外気は空気通路に侵入しにくくなる。このため、発泡した揮散剤をより有効に残しておくことができる。
【図面の簡単な説明】
【００１４】
【図１】本発明に従う揮散容器の一実施形態を未使用状態で示した断面図である。
【図２】（ａ）は図１に示す揮散容器の平面図であり、（ｂ）は空気通路周辺の部分拡大図であり、（ｃ）は図１の矢印Ａに沿う矢視図であり、（ｄ）は逆止弁周辺の部分拡大図である。
【図３】図１に示す揮散容器につき、一定の揮散効果を得たい場合の使用状態を示した断面図である。
【図４】図１に示す揮散容器につき、急速に揮散効果を発揮させたい場合の使用状態を示した断面図である。
【図５】図１に示す揮散容器につき、外気が内部空間に導入される状態を示した断面図である。
【図６】本発明に従う揮散容器の他の実施形態を未使用状態で示した断面図である。
【図７】図６に示す揮散容器につき、一定の揮散効果を得たい場合の使用状態を示した断面図である。
【図８】図６に示す揮散容器につき、急速に揮散効果を発揮させたい場合の使用状態を示した断面図である。
【図９】図６に示す揮散容器につき、外気が内部空間に導入される状態を示した断面図である。
【発明を実施するための形態】
【００１５】
以下、図１〜図５を用いて、本発明に従う粉体塗布容器の一実施形態について説明する。なお、本明細書等における「上」、「下」は、図１に示すように、容器を正立姿勢にした状態での向きをいう。
【００１６】
本実施形態の揮散容器Ａは、容器１（ここでは容器本体２と肩カバー３で構成される）、吸い上げ芯４、ホルダー５、逆止弁６、キャップ７、揮散部材８、及び蓋体９で構成されている。
【００１７】
容器本体２は、使用時において載置面に接触する底部２ａと、底部２ａの外縁から上方に向けて立ち上がる胴部２ｂと、胴部２ｂの上端部から容器本体２の中心軸線Ｏに向かってなだらかに湾曲しながら延在する肩部２ｃと、肩部２ｃの内縁部から上方に向けて立ち上がる円筒状の口部２ｄと、口部２ｄの外周面に設けられるネックリング２ｅと、ネックリング２ｅの上方に設けられる雄ねじ部２ｆとを備えている。また、容器本体２の内側には、内容物として揮散剤を収容する内部空間Ｎが形成されている。また、容器本体２は合成樹脂製であって、胴部２ｂは可撓性を有している。
【００１８】
肩カバー３は、胴部２ｂの上端部から上方に向けて湾曲しながら延在する外壁３ａと、外壁３ａの上端部に段部をもって連結するとともに中心軸線Ｏに向かって水平方向に延在する内向きフランジ３ｂと、内向きフランジ３ｂの内縁部から下向きに延在してネックリング２ｅに係合する係合壁３ｃとを備えている。また、外壁３ａと内向きフランジ３ｂとが連結する段部には、蓋体９を揺動可能に支持するための揺動穴３ｄが設けられている。
【００１９】
吸い上げ芯４は、例えばフェルト材やパルプ材、合成樹脂製の多孔質体、繊維束体にて棒状に形成されていて、内部空間Ｎに収容した揮散剤をその上端部まで吸い上げることができる。なお図示は省略するが、吸い上げ芯４の下端部は底部２ａ付近まで延びている。
【００２０】
ホルダー５は、口部２ｄに装着されて吸い上げ芯４を保持するものである。ホルダー５は、環状をなすとともにその上端に外向きのフランジを設けた形状をなし、口部２ｄに嵌合保持される嵌合壁５ａと、嵌合壁５ａから中心軸線Ｏに向かって水平方向に延在して口部２ｄを閉塞する隔壁５ｂと、隔壁５ｂの内縁部から吸い上げ芯４を取り囲んで上方に向けて立ち上がる環状壁５ｃとを備えている。ここで、図２（ｂ）に示すように環状壁５ｃの内周面には、中心軸線Ｏに沿って縦向きに延在する溝５ｄが設けられていて、溝５ｄの上部には、中心軸線Ｏに向けて吸い上げ芯４まで延在する上部壁５ｅが設けられている。このような構成によって、吸い上げ芯４と溝５ｄとの間には、下端部（入口）が内部空間Ｎに通じる一方、上端部（出口）が吸い上げ芯４に通じる通路（空気通路Ｋ１）が形成されている。
【００２１】
また隔壁５ｂには、貫通穴（開口）５ｆが設けられていて、開口５ｆの外側における隔壁５ｂの下面には、図２（ｃ）に示すように、環状をなすとともにその一部が嵌合壁５ａに連結する第２嵌合壁５ｇが設けられている。
【００２２】
逆止弁６は、図２（ｄ）に示すように環状をなし、第２嵌合壁５ｇの内周面に嵌合保持される基部６ａと、基部６ａの内側に設けられ、隔壁５ｂの下面に当接して開口５ｆを塞ぐ板状の弁体６ｂと、基部６ａと弁体６ｂとを一体につなぐ連結片６ｃとを備えていて、一点弁の如き形態をなすものである。なお、例えば三点弁のように複数の連結片を備える逆止弁を採用してもよい。逆止弁６は、例えばゴム、エラストマー、低密度ポリエチレン（ＬＤＰＥ）、或いは直鎖低密度ポリエチレン（ＬＬＤＰＥ）等の比較的軟質な材料によって形成されていて、弁体６ｂは通常時、或いは内部空間Ｎの加圧時には開口５ｆを閉鎖する一方、内部空間Ｎの減圧時には隔壁５ｂから離反して開口５ｆを解放する。
【００２３】
キャップ７は、全体的に有蓋筒状をなすキャップ本体７ａを備えている。キャップ本体７ａの内周面には、雄ねじ部２ｆに対応する雌ねじ部７ｂが設けられている。なおキャップ７は、流通時等において吸い上げ芯４から外界に向けて揮散剤が揮発するのを防止するために用いるものであって、使用時には口部２ｄから取り外されるものである。
【００２４】
揮散部材８は、濾紙の他、フェルト材やパルプ材、合成樹脂製の多孔質体、繊維束体によってブロック状に形成されている。なお揮散部材８は、後述するように使用時においては吸い上げ芯４の上端部に接触するものであり、吸い上げ芯４で吸い上げられた揮散剤を浸透させて揮散させることができる。
【００２５】
蓋体９は、全体的にドーム状をなす蓋体本体９ａを備えている。蓋体本体９ａの一端部には、肩カバー３に設けた揺動穴３ｄに対応する揺動軸９ｂが設けられていて、蓋体９は肩カバー３に揺動可能に取り付けられている。なお、肩カバー３に揺動軸を設け、蓋体９に揺動穴を設けてもよい。また蓋体本体９ａの他端部には、蓋体９を揺動させる際に指掛かりとなる指掛け部９ｃが設けられている。また蓋体本体９ａは、下方に向けて延在するとともに揮散部材８を抜け止め保持する爪部９ｄと、揮散部材８の上方において蓋体本体９ａを貫通する複数の窓穴９ｅとを備えている。なお、本実施形態の窓穴９ｅは、図２（ａ）に示すように矩形状をなしているが、その形状や数、位置等は図示のものに限られず、適宜変更してもよい。
【００２６】
このような形態になる揮散容器Ａは、図１に示す状態から蓋体９を揺動させて開いた後にキャップ７を取り外して使用される。ところで、キャップ７を取り外した後に図３に示すように再び蓋体９を閉じれば、揮散部材８を吸い上げ芯４の上端部に接触させることができる。これにより、内部空間Ｎの揮散剤は吸い上げ芯４によって徐々に吸い上げられ、更に揮散部材８に浸透した後、揮散部材８の広い表面積でもって効果的に揮散されて、窓穴９ｅから外界へ放出される。すなわち図３に示す状態では、一定の揮散効果が長く続くように使用することができる。
【００２７】
一方、揮散効果を急速に発揮させたい場合は、図４に示すように蓋体９を開いた後、胴部２ｂを押圧して内部空間Ｎを加圧する。これにより内部空間Ｎの空気は、図２（ｂ）に示すように空気通路Ｋ１を通って吸い上げ芯４に至り、吸い上がった揮散剤と混ざり合うことによって揮散剤を発泡させることができるため、外界へ急速に揮散させることができる。なお、蓋体９を閉めたまま胴部２ｂを押圧してもよいが、吸い上げ芯４で発泡した揮散剤が揮散部材８に浸透するのに時間がかかり、ホルダー５の縁から溢れてしまうおそれがあるため、本実施形態において急速な揮散効果を得るには、蓋体９を開いておくことが好ましい。
【００２８】
なお、胴部２ｂは可撓性を有していて、押圧を解除すると初期の形状に復元する。これにより内部空間Ｎは減圧され、図５に示すように弁体６ｂが隔壁５ｂから離反して開口５ｆが解放されるため、内部空間Ｎに外気を導入することができる。なお発泡した揮散剤は、外気とともに内部空間Ｎに取り込まれるが、開口５ｆは隔壁５ｂに１ヶ所設けられているだけなので、大部分の揮散剤は隔壁５ｂに残ったままになる。このため、押圧を解除して胴部２ｂが復元しても、急速な揮散効果を維持することができる。
【００２９】
次に、本発明に従う揮散容器の他の実施形態について、図６〜図９を参照しながら説明する。本実施形態の揮散容器Ｂは、先に説明した肩カバー３、ホルダー５、逆止弁６、キャップ７、揮散部材８に換えて、肩カバー１０、ホルダー１１、逆止弁１２、キャップ１３、揮散部材１４を備えるものである。なお、その他の部材は先に説明したものと同一であるため、図面に同一の符号を付して詳細な説明は省略する。
【００３０】
肩カバー１０は、先に説明した外壁３ａ、内向きフランジ３ｂ、係合壁３ｃ、揺動穴３ｄと同様の形態になる外壁１０ａ、内向きフランジ１０ｂ、係合壁１０ｃ、揺動穴１０ｄを備えている。また係合壁１０ｃには、その一部を切り欠いて形成される連通口１０ｅが設けられている。
【００３１】
ホルダー１１は、先に説明した嵌合壁５ａ、隔壁５ｂ、環状壁５ｃと同様の形態になる嵌合壁１１ａ、隔壁１１ｂ、環状壁１１ｃを備えている。なお環状壁１１ｃは、前述の環状壁５ｃよりも長くなっている。ここで環状壁１１ｃの内周面には、図８の拡大図に示すように中心軸線Ｏに沿って縦向きに延在する溝１１ｄが設けられている。なお、先に説明した上部壁５ｅは本実施形態では設けておらず、吸い上げ芯４と溝１１ｄとの間には、内部空間Ｎに通じる下端部（入口）から上端部（出口）に向けて上下方向に延在する通路（空気通路Ｋ２）が形成されている。そして、図６に示すように隔壁１１ｂには、この隔壁１１ｂを貫く穴（開口）１１ｅが設けられていて、開口１１ｅの縁部には、上方に向けて立ち上がるとともにその先端を縮径させた筒状部１１ｆが設けられている。
【００３２】
逆止弁１２は球体をなすものであって、筒状部１１ｆの内側において上下動可能に配置されている。なお、逆止弁１２は下方に移動した状態で筒状部１１ｆに抜け止め保持されるものであるが、この状態においても、筒状部１１ｆと逆止弁１２との間には隙間が形成されるため、内部空間Ｎと外界とは連通している。一方逆止弁１２は、上部が縮径する筒状部１１ｆによって上方への抜け出しが阻止されるものであるが、この状態では筒状部１１ｆと逆止弁１２とは気密に当接し、内部空間Ｎと外界とは非連通になる。
【００３３】
キャップ１３は、先に説明したキャップ本体７ａよりも上方へ向けて突出した形態になるキャップ本体１３ａを備えている。また、キャップ本体１３ａの内周面には、雄ねじ部２ｆに対応する雌ねじ部１３ｂが設けられていて、キャップ本体１３ａを口部２ｄに装着することによって、揮散剤の揮散を防止することができる。
【００３４】
揮散部材１４は、揮散部材８と同様の材料で全体的にブロック状に形成されるものであって、下方には、吸い上げ芯４と環状壁１１ｃとを収容できるサイズとなる凹所１４ａを備えている。すなわち、図８の拡大図に示すように空気通路Ｋ２の上端部（出口）は、揮散部材１４に通じている。
【００３５】
このような形態になる揮散容器Ｂにあっては、図６に示す状態から蓋体９を揺動させて開いた後にキャップ１３を取り外して使用される。なお、先に説明した実施形態と同様に、揮散容器Ｂにおいても再び蓋体９を閉じれば、図７に示すように凹所１４ａに吸い上げ芯４と環状壁１１ｃとが収容されて、吸い上げ芯４の上端部が揮散部材１４に接触する。このため、吸い上げ芯４によって徐々に吸い上げられた内部空間Ｎの揮散剤は、更に揮散部材１４に浸透した後、揮散部材１４の広い表面積でもって効果的に揮散されて、窓穴９ｅから外界へ放出される。すなわち本実施形態でも、図７に示す状態にすることによって、一定の揮散効果を長く続かせるように使用することができる。
【００３６】
そして揮散効果を急速に発揮させたい場合は、胴部２ｂを押圧して内部空間Ｎを加圧する。なお、この状態において逆止弁１２は、図８に示すように上方へ移動して筒状部１１ｆと気密に当接するため、内部空間Ｎの空気が筒状部１１ｆから漏れることはない。これにより内部空間Ｎの空気は、図８の拡大図に示すように空気通路Ｋ２を通って揮散部材１４に至り、揮散部材１４に浸透した揮散剤と混ざり合うことによって揮散剤を発泡させることができるため、外界へ急速に揮散させることができる。なお、発泡した揮散剤はしばらくすると元の液状に戻るため、一般には液だれによって周囲を汚してしまう懸念があるものの、本実施形態では揮散部材１４上で発泡させていて、液状になった揮散剤は揮散部材１４に染みこむため、このような不具合につながることがない。また、揮散部材１４に染みこんだ揮散剤はそのまま揮散し続けるため、一定の揮散効果を発揮させ続けることができる。
【００３７】
なお、押圧を解除して胴部２ｂが復元すると内部空間Ｎは減圧され、逆止弁１２は図９に示すように下方へ移動する。なお、この状態において筒状部１１ｆと逆止弁１２との間には隙間が形成されるため、外気を内部空間Ｎに導入することができる。なお、内部空間Ｎに導入される外気は、図９に矢印で示すように、容器本体２と肩カバー１０との隙間を通り、連通口１０ｅを経由して開口１１ｅに至るものである。すなわち、揮散部材１４を経由せずに外気が導入されるため、胴部２ｂが復元する場合でも発泡した揮散剤を有効に残しておくことができる。また、本実施形態における空気通路Ｋ２は揮散部材１４に取り囲まれているため、内部空間Ｎが減圧される場合でも外気は空気通路Ｋ２に侵入しにくくなる。このため、発泡した揮散剤をより有効に残しておくことができる。
【００３８】
本発明に従う揮散容器は、これまでに述べた実施形態に限定されるものではなく、特許請求の範囲に従う範囲で種々の変更を行ったものでもよいし、他の構成を付加したものでもよいし、上述した実施形態間の構成を相互に置き換えてもよい。例えば、揮散部材１４を経由せずに外気を導入するために設けた連通口１０ｅは、図９に示す実施形態では肩カバー１０に設けていたが、同じ目的となるものを蓋体９に設けてもよい。また、上述したキャップを用いる換わりに蓋体の窓穴を塞ぐシートを使用してもよい。
【符号の説明】
【００３９】
１：容器
２：容器本体
２ａ：底部
２ｂ：胴部
２ｃ：肩部
２ｄ：口部
２ｅ：ネックリング
２ｆ：雄ねじ部
３：肩カバー
３ａ：外壁
３ｂ：内向きフランジ
３ｃ：係合壁
３ｄ：揺動穴
４：吸い上げ芯
５：ホルダー
５ａ：嵌合壁
５ｂ：隔壁
５ｃ：環状壁
５ｄ：溝
５ｅ：上部壁
５ｆ：開口
５ｇ：第２嵌合壁
６：逆止弁
６ａ：基部
６ｂ：弁体
６ｃ：連結片
７：キャップ
７ａ：キャップ本体
７ｂ：雌ねじ部
８：揮散部材
９：蓋体
９ａ：蓋体本体
９ｂ：揺動軸
９ｃ：指掛け部
９ｄ：爪部
９ｅ：窓穴
１０：肩カバー
１０ａ：外壁
１０ｂ：内向きフランジ
１０ｃ：係合壁
１０ｄ：揺動穴
１０ｅ：連通口
１１：ホルダー
１１ａ：嵌合壁
１１ｂ：隔壁
１１ｃ：環状壁
１１ｄ：溝
１１ｅ：開口
１１ｆ：筒状部
１２：逆止弁
１３：キャップ
１３ａ：キャップ本体
１３ｂ：雌ねじ部
１４：揮散部材
１４ａ：凹所
Ａ：揮散容器
Ｂ：揮散容器
Ｋ１：空気通路
Ｋ２：空気通路
Ｎ：内部空間
Ｏ：中心軸線
【図１】
2018104060.tif 000003
【図２】
2018104060.tif 000004
【図３】
2018104060.tif 000005
【図４】
2018104060.tif 000006
【図５】
2018104060.tif 000007
【図６】
2018104060.tif 000008
【図７】
2018104060.tif 000009
【図８】
2018104060.tif 000010
【図９】
2018104060.tif 000011